(57)【要約】【課題】既設の二重窓において内窓と外窓の間で円滑に排水がなされるようにして、額縁材を保護できるカバー部材を提供する。【解決手段】建物開口部に設けられる外窓５０の室内側に内窓１が設けられる二重窓の、内窓１と外窓５０の間の下辺に設けられるカバー部材３０であり、内窓１を構成する内枠体２の下枠１１に対して取付けられる固定部３１と、固定部３１の室外端部から少なくとも外枠体５１の下枠５４の位置まで延びるカバー部３２とを備え、カバー部３２はカバー部材３０が内窓１と外窓５０の間の下辺に取付けられることで、室内側から室外側に向かう下方傾斜状の排水面３２ｂを形成する。【選択図】図３
2011252274.tif 000002
【特許請求の範囲】
【請求項１】
建物開口部に設けられる外窓の室内側に内窓が設けられる二重窓の、前記内窓と外窓の間の下辺に設けられるカバー部材であって、
前記内窓を構成する内枠体の下枠に接して取付けられる固定部と、該固定部の室外端部から少なくとも前記外枠体の下枠の室内端位置まで延びるカバー部とを備え、該カバー部は前記カバー部材が前記内窓と外窓の間の下辺に取付けられることで、室内側から室外側に向かう下方傾斜状の排水面を形成することを特徴とするカバー部材。
【請求項２】
前記カバー部の両側には、それぞれ前記額縁材の縦辺との間を埋めるように止水材が設けられることを特徴とする請求項１記載のカバー部材。
【請求項３】
前記固定部とカバー部は別体に形成されてなることを特徴とする請求項１または２記載のカバー部材。
【請求項４】
前記カバー部は長手方向に沿って切断自在な切欠を室内外方向に複数有することを特徴とする請求項１〜３のいずれか１項に記載のカバー部材。
【請求項５】
建物開口部に外窓を設け、該外窓を構成する外枠体の室内側に額縁材を設け、該額縁材の内周面に内窓を設けてなる二重窓において、
前記内窓と外窓の間の下辺に請求項１〜４のいずれか１項に記載のカバー部材を設けてなることを特徴とする二重窓。
【請求項６】
建物開口部に外窓を設け、該外窓を構成する外枠体の室内側に額縁材を設け、該額縁材の内周面に内窓を設けてなる二重窓の改修方法において、
前記内窓を構成する内枠体の下枠に対して取付自在な固定部と、固定部の室外端部から少なくとも前記外枠体の下枠の位置まで延びる長さの上面を有するカバー部を備えたカバー部材を用意し、前記内枠体の下枠に対して前記固定部を取付け、前記カバー部を前記内窓と外窓の間の前記額縁材の下辺に配置することで、室内側から室外側に向かう下方傾斜状の排水面を形成することを特徴とする二重窓の改修方法。
【発明の詳細な説明】
【技術分野】
【０００１】
本発明は、二重窓を構成する内窓と外窓の間の排水性を良好にするため内窓に対して取付けられるカバー部材とそれを備える二重窓及び二重窓の改修方法に関し、特に既設の内窓を構成する下枠の下部に取付自在なカバー部材とそれを備える二重窓及び二重窓の改修方法に関する。
【背景技術】
【０００２】
従来、建物開口部に内窓と外窓を二重に設けてなる二重窓が知られている。窓を二重にすることで、内窓と外窓の間が密閉空間となるので、断熱性能を高めて結露を防止することができると共に、防音性も高くすることができる。内窓は、建物開口部に窓を設ける際に予め設けることもできるし、また既設のサッシに内窓を追加するように設けることもできる。
【０００３】
外窓を構成する枠体の室内側には、四周に渡って木製の額縁材が設けられ、この額縁材の内周面に内窓の枠体が取付けられる。内窓と外窓の間に空間を形成するため、内窓は外窓の室内端部よりも室内側寄りに離隔して配置される。このような構造を有した二重窓としては、例えば特許文献１に挙げるようなものがある。
【先行技術文献】
【特許文献】
【０００４】
【特許文献１】特開２００８−２７４６０５号公報
【発明の概要】
【発明が解決しようとする課題】
【０００５】
二重窓において、内窓は室外側と断熱されるため、結露の発生はあまり想定されておらず、直接室外側に面する外窓ほど排水性能を有していないが一般的であった。しかし、地域や環境によっては、結露や種々の要因で内窓の下枠にも水が溜まることが想定され、その際に、内窓の下枠は外窓の下枠ほどの排水性能を有していないので、水が室内側にあふれてしまう虞があった。さらに、内窓と外窓の間は、密閉空間であるためゴミや水が溜まりやすい。通常、内窓が取り付けられる額縁材は、前述のように木製であることが多く、水が溜まると傷む原因になる虞がある。特に、既に設置された二重窓について、この問題を解消する手段が求められていた。
【０００６】
本発明は前記課題を鑑みてなされたものであり、既設の二重窓において内窓と外窓の間で円滑に排水がなされるようにして、内窓下枠の排水性能を向上させると共に、額縁材を保護できるカバー部材とそれを備える二重窓及び二重窓の改修方法を提供することを目的とする。
【課題を解決するための手段】
【０００７】
前記課題を解決するため、本発明に係るカバー部材は、建物開口部に設けられる外窓の室内側に内窓が設けられる二重窓の、前記内窓と外窓の間の下辺に設けられるカバー部材であって、
前記内窓を構成する内枠体の下枠に接して取付けられる固定部と、該固定部の室外端部から少なくとも前記外枠体の下枠の室内端位置まで延びるカバー部とを備え、該カバー部は前記カバー部材が前記内窓と外窓の間の下辺に取付けられることで、室内側から室外側に向かう下方傾斜状の排水面を形成することを特徴として構成されている。
【０００８】
さらにまた、本発明に係るカバー部材は、前記カバー部の両側には、それぞれ前記額縁材の縦辺との間を埋めるように止水材が設けられることを特徴として構成されている。
【０００９】
そして、本発明に係るカバー部材は、前記固定部とカバー部は別体に形成されてなることを特徴として構成されている。
【００１０】
また、本発明に係るカバー部材は、前記カバー部は長手方向に沿って切断自在な切欠を室内外方向に複数有することを特徴として構成されている。
【００１１】
さらに、本発明に係る二重窓は、建物開口部に外窓を設け、該外窓を構成する外枠体の室内側に額縁材を設け、該額縁材の内周面に内窓を設けてなる二重窓において、
前記内窓と外窓の間の下辺に前記いずれかのカバー部材を設けてなることを特徴として構成されている。
【００１２】
そして、本発明に係る二重窓の改修方法は、建物開口部に外窓を設け、該外窓を構成する外枠体の室内側に額縁材を設け、該額縁材の内周面に内窓を設けてなる二重窓の改修方法において、
前記内窓を構成する内枠体の下枠に対して取付自在な固定部と、固定部の室外端部から少なくとも前記外枠体の下枠の位置まで延びる長さの上面を有するカバー部を備えたカバー部材を用意し、前記内枠体の下枠に対して前記固定部を取付け、前記カバー部を前記内窓と外窓の間の前記額縁材の下辺に配置することで、室内側から室外側に向かう下方傾斜状の排水面を形成することを特徴として構成されている。
【発明の効果】
【００１３】
本発明に係るカバー部材によれば、内枠体の下枠に接して取付けられる固定部と、固定部の室外端部から少なくとも外枠体の下枠の室内端位置まで延びるカバー部とを備え、カバー部はカバー部材が内窓と外窓の間の下辺に取付けられることで、室内側から室外側に向かう下方傾斜状の排水面を形成することにより、内窓と外窓の間について額縁材の下辺をカバー部で覆い、意匠性を高くできると共に、内窓の下枠を持ち上げた上でカバー部が内窓と外窓の間をつなぐこととなるので、排水面により内窓からの水を排水構造が設けられる外窓に導くことができて、額縁材を保護することができる。
【００１４】
さらにまた、本発明に係るカバー部材によれば、カバー部の両側には、それぞれ額縁材の縦辺との間を埋めるように止水材が設けられることにより、内窓と外窓の間の領域について、額縁材の縦辺側を水に直接触れることがないようにすることができる。
【００１５】
そして、本発明に係るカバー部材によれば、固定部とカバー部は別体に形成されてなることにより、外部に露出するカバー部のみを後で取り外し、また取替えることができ、経年劣化による交換や、あるいはカバー部を取り外しての清掃などを容易にすることができる。
【００１６】
また、本発明に係るカバー部材によれば、カバー部は長手方向に沿って切断自在な切欠を室内外方向に複数有することにより、カバー部の室内外方向の長さを変更でき、内窓と外窓の間隔が異なる複数種類のサッシに同じ部品を適用できるので、部品の共用化によるコストダウンを図ることができる。
【００１７】
そして、本発明に係る二重窓の改修方法によれば、内枠体の下枠に対して取付自在な固定部と、固定部の室外端部から少なくとも外枠体の下枠の位置まで延びる長さの上面を有するカバー部を備えたカバー部材を用意し、内枠体の下枠に対して固定部を取付け、カバー部を内窓と外窓の間の額縁材の下辺に配置することで、室内側から室外側に向かう下方傾斜状の排水面を形成することにより、既設の二重窓に対して、内窓と外窓の間について額縁材の下辺をカバー部で覆い、意匠性を高くできると共に、内窓の下枠を持ち上げた上でカバー部が内窓と外窓の間をつなぐこととなるので、排水面により内窓からの水を排水構造が設けられる外窓に導くことができて、額縁材を保護することができる。
【図面の簡単な説明】
【００１８】
【図１】本実施形態における二重窓の縦断面図である。
【図２】二重窓の横断面図である。
【図３】図１における内窓の下枠付近拡大図である。
【図４】下枠に対してカバー部材を取付ける際の断面図である。
【図５】止水材の斜視図である。
【図６】下枠と縦枠により形成されるコーナー部付近の斜視図である。
【図７】第２の形態のカバー部材を設けた内窓の下枠付近拡大図である。
【図８】第２の形態のカバー部材を形成する際の下枠と額縁材の断面図である。
【発明を実施するための形態】
【００１９】
本発明の実施形態について図面に沿って詳細に説明する。図１には本実施形態における二重窓の縦断面図を、図２には二重窓の横断面図を、それぞれ示している。これら各図に示すように、本実施形態の二重窓全体の構成としては、建物開口部に外窓５０を取付け、その室内側に内窓１を設けて二重構造としてなるものである。
【００２０】
外窓５０は、方形状に枠組みされた外枠体５１内に、外側内障子５２と外側外障子５３を引き違い状に納めてなるものであり、一般的なサッシの構成と同様のものである。外窓５０の室内側には四周に渡って額縁材５が設けられており、額縁材５の室内外中間位置に内窓１が取付けられる。
【００２１】
内窓１は、額縁材５に取付けた内枠体２内に内障子３と外障子４を引き違い状に納めてなるものである。内枠体２は、いずれも樹脂材からなる上枠１０と下枠１１及び左右の縦枠１２、１２を方形状に枠組みして構成される。内枠体２は、外周面が四周に渡って額縁材５の内周面に当接しており、それぞれネジ止めによって固定されている。
【００２２】
内障子３及び外障子４は、いずれも樹脂材からなる上框２０と下框２１、枠側に配置される縦框である枠側縦框２２及び召合せ側に配置される縦框である召合せ框２３を方形状に框組みしてなる框体７にガラス体８を納めて構成され、内枠体２内において長手方向に走行自在となるように納められる。すなわち、内窓１は樹脂材によって構成される樹脂サッシである。
【００２３】
下枠１１は外周面部１１ａから立ち上がるように、室内側から順に室内側辺１１ｂと内レール１１ｃ、外レール１１ｄ、及び室外側片１１ｅを備えている。内障子３と外障子４の各下端部には戸車２１ａが設けられ、この戸車２１ａが下枠１１の内レール１１ｃまたは外レール１１ｄに載置されて、内障子３と外障子４を長手方向に走行自在とする。
【００２４】
内窓１の下枠１１と外窓５０の外枠体５１を構成する外下枠５４との間には、カバー部材３０が設けられる。このカバー部材３０につき、以下詳細に説明する。図３には図１における内窓１の下枠１１付近拡大図を示している。カバー部材３０は樹脂材からなり、内枠体２の下枠１１に対して取付けられる固定部３１と、固定部３１の室外端部から突出して内枠体２と外枠体５１の間の領域に配置されるカバー部３２とを有して構成されている。
【００２５】
内枠体２の下枠１１には、内レール１１ｃと外レール１１ｄの直下が若干突出した載置部１１ｆが形成されており、この載置部１１ｆが額縁材５に対して直接当接している。そして、外レール１１ｃ側の載置部１１ｆより室外側は、外周面部１１ａと額縁材５の間に隙間部１１ｇが形成されている。カバー部材３０の固定部３１は、隙間部１１ｇに挿入自在となっている。
【００２６】
図４には、下枠１１に対してカバー部材３０を取付ける際の断面図を示している。本実施形態においては、内窓１は既設であり、したがって下枠１１は額縁材５に対して予めネジ止め固定されている。この下枠１１の隙間部１１ｇに対し、カバー部材３０の固定部３１を室外側から挿入する。
【００２７】
下枠１１の隙間部１１ｇに固定部３１を挿入した状態で、図３に示すように、下枠１１の外周面部１１ａのうち外レール１１ｄと室外側片１１ｅの間の領域に、額縁材５に向かってネジ止めがなされ、これによってカバー部材３０が下枠１１と共に額縁材５に対して固定される。
【００２８】
カバー部材３０のカバー部３２は、固定部３１を隙間部１１ｇに挿入した状態で、下枠１１の室外側片１１ｅに沿って立ち上がる垂直部３２ｄと、垂直部３２ｄの上端から室外側に向かって延びる上面部３２ｅを有して形成されている。外窓５０を構成する外枠体５１の外下枠５４は、室内端部に凹状の室内側溝部５４ａを有していて、カバー部３２の上面部３２ｅは、外下枠５４の室内側溝部５４ａの位置近傍まで延びるように形成されている。なお、本実施形態では、カバー部３２の室外側先端位置は、外下枠５４の室内側溝部５４ａより室内側に止まっているが、室内側溝部５４ａの位置まで延びるようにしてもよいことは、言うまでもない。また、カバー部３２は、少なくとも外下枠５４の室内端位置まで延びていればよい。
【００２９】
上面部３２ｅの下面側には、斜め下方に向かって突出する支持部３２ａが、長手方向に沿って室内外方向に複数形成されている。支持部３２ａは、室外側ほど水平に近い方向に傾斜するように形成されており、このため、支持部３２ａが外下枠５４の上面に載置されることで、上面部３２ｅは若干傾斜する。すなわち、カバー部材３０が額縁材５の内周面に取付けられ、内窓１と外窓５０の間の下辺に配置されるのに伴い、上面部３２ｅは室内側から室外側に向かう下方傾斜状となって、上面が内枠体２からの水を外枠体５１側に導く排水面３２ｂを形成する。
【００３０】
外窓５０は、通常のサッシの構成を有しており、外枠体５１には排水構造が設けられている。内窓１側からの水は、カバー部材３０の排水面３２ｂを介して、外枠体５１の室内側溝部５４ａに流入し、そこから外枠体５１の排水構造を経て室外側に排水される。
【００３１】
また、外窓５０を構成する外側内障子５２には、図２に示すように、召合わせ框の室内側が張り出すようにプルバー部５２ａが形成されている。プルバー部５２ａは、図３に示すように、下端部が外下枠５４と干渉しないように切り欠かれている。カバー部材３０のカバー部３２は、外下枠５４の室内端部に形成されるアングル部５１ａの上面も覆っているため、プルバー部５２ａとも近接するが、上面部３２ｅが室内側から室外側に向かう下方傾斜状となっているため、プルバー部５２ａと干渉することがない。
【００３２】
カバー部材３０には、両側部に止水材３３が設けられていて、カバー部３２の側部からの水漏れを防止している。図２に示されているように、内枠体２の室外端部には、両側に縦室外フィン部１２ａが形成されている。一方、外枠体５１の室内側には、四周に渡ってアングル部５１ａが形成されていて、その室内端部は内枠体２の縦室外フィン部１２ａとは離隔している。
【００３３】
このため、内枠体２と外枠体５１の間では、額縁材５の縦辺が露出するが、この領域に止水材３３が設けられる。止水材３３は、額縁材５の下辺と縦辺の露出する角部を被覆する。これにより、額縁材５の露出する縦辺が、水に直接触れることがないようにすることができる。
【００３４】
図５には、止水材３３の斜視図を示している。この図に示すように、止水材３３はブロック状の部材からなり、樹脂材によって形成されている。この止水材３３は、カバー部材３０と額縁材５との間に配置されて露出する止水部３３ａと、カバー部３２の下部に潜り込む下面部３３ｂとを有している。
【００３５】
図６には、下枠１１と縦枠１２により形成されるコーナー部付近の斜視図を示している。この図に示すように、内窓１と外窓５０の間において、額縁材５の下辺は端部付近までカバー部材３０で覆われており、またカバー部材３０の側部であって額縁材５の縦辺と隣接する部分には、止水材３３が設けられている。止水材３３の上面はカバー部３２の上面である排水面３２ｂより若干高くなっており、排水面３２ｂを流れる水が額縁材５の縦辺に触れないようにしている。
【００３６】
このように、内窓１と外窓５０の間の領域について、額縁材５の下辺をカバー部材３０のカバー部３２で覆っているので、意匠性を高くすることができる。また、室内側から室外側に向かう下方傾斜状となる排水面３２ｂを有したカバー部３２が、内窓１と外窓５０の間をつないでいるので、排水面３２ｂにより内窓１からの水を排水構造が設けられる外窓５０に導くことができて、額縁材５を保護することができる。
【００３７】
二重窓は、建物開口部の寸法や形態等に応じて、内窓１と外窓５０の仕様が複数存在し、また内窓１と外窓５０の室内外方向における間隔も、複数設定される。このため、内窓１と外窓５０の間の下辺を被覆するカバー部材３０のカバー部３２は、室内外方向寸法の異なる複数種類が求められる。これをそれぞれ別の部品として用意するのは、高コスト化の要因となるので、本実施形態のカバー部３２は、室内外方向の寸法を変更できるように形成されている。
【００３８】
図３に示すカバー部３２には、支持部３２ａの根元となる位置で長手方向に沿って切断可能となるように、長手方向に沿う切欠３２ｃが形成されていて、この切欠３２ｃの位置でそれぞれ切断自在となっている。これによって、カバー部３２について室内外方向の長さを変更することができ、内窓１と外窓５０の間隔が異なる二重窓について、同じカバー部材３０を用いることができるので、部品の共用化によるコストダウンを図ることができる。
【００３９】
本実施形態のカバー部材３０は、額縁材５に固定された下枠１１に対して固定部３１を固定させることができるので、既設の二重窓に対して後付で設けることができる。すなわち、内窓１と外窓５０を備え、これらの間の領域において額縁材５が露出している二重窓に対し、固定部３１及びカバー部３２を備えたカバー部材３０を用意し、内枠体２の下枠１１に対して固定部３１を取付け、カバー部３２を内窓１と外窓５０の間において露出する額縁材５の下辺に配置することで、室内側から室外側に向かう下方傾斜状の排水面を形成することで、二重窓について意匠性の向上並びに額縁材５の保護を図る改修を行うことができる。なお、本実施形態のカバー部材３０は、既設の二重窓に対して後付で設けるだけでなく、建物開口部に二重窓を形成する際に設けるようにしてもよい。
【００４０】
次に、第２の形態のカバー部材３０について説明する。第１の形態のカバー部材３０は、固定部３１とカバー部３２が一体的に形成されているものであったが、第２の形態のカバー部材３０は、固定部となる固定部材３４とカバー部３２が別体で形成されてなるものである。図７には第２の形態のカバー部材３０を設けた内窓１の下枠付近拡大図を、図８には第２の形態のカバー部材３０を形成する際の下枠１１と額縁材５の断面図を、それぞれ示している。
【００４１】
図７に示すように、内窓１の下枠１１と額縁材５との間に形成される隙間部１１ｇには、断面略Ｌ字状をなす金属製の固定部材３４が取付けられている。固定部材３４は、額縁材５の内周面に沿う隙間挿入部３４ａと下枠１１の室外側片１１ｅに沿うカバー固定部３４ｂとからなっている。隙間挿入部３４ａは隙間部１１ｇに挿入され、下枠１１の下面と係合する下枠係合片３４ｃを２つ有している。また、カバー固定部３４ｂは、下枠１１の室外側片１１ｅとの間に隙間が形成されてカバー部３２の垂直部３２ｄを挿入自在とすると共に、これを係合させるカバー係合片３４ｄが形成されている。
【００４２】
カバー部３２は、垂直部３２ｄと上面部３２ｅを有している点では、第１の形態と同じであるが、垂直部３２ｄの先端には、係合部３４ｅが形成されていて、垂直部３２ｄを固定部材３４のカバー固定部３４ｂと下枠１１の室外側片１１ｅとの間に挿入することで、固定部材３４のカバー係合片３４ｄと係合し、カバー部３２を固定部材３４に固定することができる。
【００４３】
このように、カバー部材３０を固定部材３４とカバー部３２の二部材で構成し、固定部材３４を下枠１１に固定し、カバー部３２を固定部材３４に固定するようにしたことで、外部に露出するカバー部３２のみを後で取り外し、また取替えることができ、経年劣化による交換や、あるいはカバー部３２を取り外しての清掃などを容易にすることができる。
【００４４】
以上、本発明の実施形態について説明したが、本発明の適用は本実施形態には限られず、その技術的思想の範囲内において様々に適用されうるものである。
【符号の説明】
【００４５】
１    内窓
２    内枠体
３    内障子
４    外障子
５    額縁材
１０    上枠
１１    下枠
１２    縦枠
３０    カバー部材
３１    固定部
３２    カバー部
３３    止水材
３４    固定部材
５０    外窓
５１    外枠体
５２    外側内障子
５３    外側外障子
５４    外下枠
【図１】
2011252274.tif 000003
【図２】
2011252274.tif 000004
【図３】
2011252274.tif 000005
【図４】
2011252274.tif 000006
【図５】
2011252274.tif 000007
【図６】
2011252274.tif 000008
【図７】
2011252274.tif 000009
【図８】
2011252274.tif 000010